(57)【要約】【課題】加工性の容易な磁性体を用い、安定した軸方向と平行な磁界を発生させる真空バルブを提供する。【解決手段】接離自在の一対の接点３と、接点３間に軸方向と平行な磁界を発生させるカップ状のコイル電極２とを具備した真空バルブであって、接点３の背面でコイル電極の空間部に複数の棒状の磁性体５を所定の間隔で円周方向に配置し、磁性体５内での渦電流を抑制し、軸方向と平行な磁界を増大させることを特徴とする。【選択図】図１
2010129337.tif 000002
【特許請求の範囲】
【請求項１】
接離自在の一対の接点と、
前記接点間に軸方向と平行な磁界を発生させるコイル電極とを具備した真空バルブであって、
前記接点の背面に複数の棒状の磁性体を所定の間隔で円周方向に配置したことを特徴とする真空バルブ。
【請求項２】
前記磁性体を前記接点と前記コイル電極の底面部間に設け、少なくとも一方端を点接触としたことを特徴とする請求項１に記載の真空バルブ。
【請求項３】
前記磁性体を前記接点と前記コイル電極の底面部間に設け、少なくとも一方端を非接触としたことを特徴とする請求項１に記載の真空バルブ。
【請求項４】
前記接点と前記コイル電極の底面部間に、少なくとも前記接点側に鍔部を有する補強部材を設けるとともに、前記鍔部に前記磁性体を固着したことを特徴とする請求項３に記載の真空バルブ。
【請求項５】
前記磁性体を絶縁材料で被覆したことを特徴とする請求項１乃至請求項４のいずれか１項に記載の真空バルブ。
【発明の詳細な説明】
【技術分野】
【０００１】
本発明は、軸方向と平行な磁界を増大し得る接離自在の一対の接点を有する真空バルブに関する。
【背景技術】
【０００２】
従来、この種の真空バルブは、接離自在の接点と、接点間に軸方向と平行な磁界を発生させるコイル電極とを備え、遮断特性の向上が図られている。更には、接点の背面のコイル電極内にリング状の磁性体を配置し、磁界を更に増大させたものが知られている。軸方向と平行な磁界は、接点間で発生するアークを拡散し、遮断特性を向上させる。（例えば、特許文献１参照。）。
【特許文献１】特開平６−１５０７８６号公報  （第３ページ、図１）
【発明の開示】
【発明が解決しようとする課題】
【０００３】
上記の従来の真空バルブにおいては、次のような問題がある。リング状の磁性体は、多くの場合、太径の棒状の素材を所定の長さに切断し、内周と外周とを所定の大きさに切削加工する方法がとられる。このため、加工作業に多大の時間を要するとともに、内周部分の材料が無駄なものとなる。
【０００４】
また、リング状の磁性体内では、コイル電極を通電し軸方向と平行な磁界を発生させると、磁界の変化を打ち消す向きに起電力が発生し、円周方向の渦電流が流れる。渦電流は、コイル電極で発生させる軸方向と平行な磁界を低減させる作用をする。
【０００５】
渦電流防止対策として、磁性体の円周方向の一部を切断し開放させる方法があるが、磁性体内部の残留応力も開放され、変形が起きる。磁性体が変形すると所定の磁界が得られ難くなり、また、修正加工をする場合には高度な追加加工が必要となる。
【０００６】
本発明は上記問題を解決するためになされたもので、磁性体の加工作業を容易とし、磁界の発生を安定させ、軸方向と平行な磁界を増大し得る真空バルブを提供することを目的とする。
【課題を解決するための手段】
【０００７】
上記目的を達成するために、本発明の真空バルブは、接離自在の一対の接点と、前記接点間に軸方向と平行な磁界を発生させるコイル電極とを具備した真空バルブであって、前記接点の背面に複数の棒状の磁性体を所定の間隔で円周方向に配置したことを特徴とする。
【発明の効果】
【０００８】
本発明によれば、軸方向と平行な磁界を発生させるコイル電極の空間部に、複数の棒状の磁性体を円周方向に所定の間隔で配置しているので、磁性体の加工性を容易とすることができ、また磁性体内での渦電流の発生が極めて小さく、軸方向と平行な磁界を増大させることができる。
【発明を実施するための最良の形態】
【０００９】
以下、図面を参照して本発明の実施例を説明する。
【実施例１】
【００１０】
先ず、本発明の実施例１に係る真空バルブを図１、図２を参照して説明する。図１は、本発明の実施例１に係る真空バルブの接点の構成を示す断面図、図２は、本発明の実施例１に係る真空バルブの接点を接点側から見た図である。なお、一対の接点のうち、一方の接点を用いて説明する。
【００１１】
図１に示すように、通電軸１端には、電気銅などからなるカップ状のコイル電極２の外側底部が固着されている。コイル電極２の開口部には、銅合金からなる円板状の接点３が固着されている。コイル電極２の内部となる空間部２ａには、コイル電極２や接点３よりも電気抵抗の高い例えばステンレスからなるリング状の補強部材４が略中心部にろう付けなどで固着され、接点３の機械的な補強が行われている。
【００１２】
コイル電極２の空間部２ａの底面部２ｂと接点３間には、複数の円柱状の磁性体５がろう付けなどで固着されている。磁性体５は、図２に示すように、互いが所定の間隔を保って円周方向に配置されるとともに、空間部２ａの内周側面および補強部材４の外周側面とも所定の間隔を保って配置されている。なお、コイル電極２の外周部２ｃには、図１に二点鎖線で示すように、軸方向を斜めに横切る複数本のスリット６が設けられ、軸方向と平行な磁界を発生できるようになっている。
【００１３】
これにより、個々の磁性体５では、コイル電極２で磁界の変化が起きても、従来のようなリング状ではなく小径の円柱状であるので、渦電流の発生が極めて小さくなる。また、互いの磁性体５間、磁性体５と外周部２ｃの内周側面間、および磁性体５と補強部材４の外周側面間で所定の間隔を保っているので、個々の磁性体５による磁界が安定する。即ち、接点３の円周方向の全体に亘って磁性体５による安定した磁界が加わるようになるので、軸方向と平行な磁界を増大させることができる。
【００１４】
なお、磁性体５は、空間部２ａに複数配置できるような小径の棒状の素材を所定の長さに切断し、外周を所定の大きさに切削加工すればよいので、材料の無駄が省け、加工作業が容易となる。
【００１５】
上記実施例１の真空バルブによれば、接点３の背面となるコイル電極２の空間部２ａに、複数の円柱状の磁性体５を円周方向に所定の間隔を保って配置しているので、コイル電極２で磁界の変化があっても磁性体５内での渦電流の発生は極めて小さく、コイル電極２で発生させる軸方向と平行な磁界を増大させることができる。
【００１６】
上記実施例１では、磁性体５を円柱状で説明したが、素材が断面多角形状や断面楕円状で製造されているものなら、その形状を保ったものでも、渦電流の発生を抑え、軸方向と平行な磁界を増大させることができる。ここでは、これらの形状を単に棒状と定義する。
【実施例２】
【００１７】
次に、本発明の実施例２に係る真空バルブを図３を参照して説明する。図３は、本発明の実施例２に係る真空バルブの接点の構成を示す断面図である。なお、この実施例２が実施例１と異なる点は、磁性体の形状である。図３において、実施例１と同様の構成部分においては、同一符号を付し、その詳細な説明を省略する。
【００１８】
図３に示すように、コイル電極２の底面部２ｂに固着される磁性体５の端部を半球部５ａとしている。また、円錐状部などとしてもよい。即ち、磁性体５は、底面部２ｂに点接触し固着されている。
【００１９】
上記実施例２の真空バルブによれば、実施例１による効果のほかに、コイル電極２の底面部２ｂに固着される磁性体５端部を点接触で固着しているので、接触抵抗が増大し、磁性体５へ分流する電流を抑制することができ、磁性体５の磁界を安定したものにすることができる。
【００２０】
上記実施例２では、底面部２ｂに接触する磁性体５を点接触で説明したが、接点３側を含めた少なくとも一方端を点接触とすることにより、磁性体５へ分流する電流を抑制することができる。
【００２１】
また、磁性体５を素材が露出する裸の状態で説明したが、磁性体５の表面を、例えばセラミックスなどの絶縁材料で被覆すれば、磁性体５へ分流する電流を更に抑制することができる。
【実施例３】
【００２２】
次に、本発明の実施例３に係る真空バルブを図４を参照して説明する。図４は、本発明の実施例３に係る真空バルブの接点の構成を示す断面図である。なお、この実施例３が実施例２と異なる点は、磁性体の長さを短くしたことである。図４において、実施例２と同様の構成部分においては、同一符号を付し、その詳細な説明を省略する。
【００２３】
図４に示すように、磁性体５の軸方向の長さを実施例２よりも短くし、底面部２ｂと所定のギャップが保たれるようにしている。また、補強部材４を胴体部４ａと、胴体部４ａよりも外径の大きい鍔部４ｂとで構成し、鍔部４ｂの円周方向に設けた複数の取付穴に磁性体５の一方端をろう付けなどで固着している。
【００２４】
上記実施例３の真空バルブによれば、実施例２による効果のほかに、磁性体５を底面部２ｂと非接触としているので、磁性体５へ分流する電流を更に抑制できる。また、接点３を面積の大きい鍔部４ｂで支持固定するため、接点３の変形を抑制することができる。
【００２５】
上記実施例３では、鍔部４ｂを接点３側に配置して説明したが、コイル電極２の底面部２ｂ側にも鍔部を設け、この鍔部に磁性体５を固着し、接点３側を非接触としてもよい。
【図面の簡単な説明】
【００２６】
【図１】本発明の実施例１に係る真空バルブの接点の構成を示す断面図。
【図２】本発明の実施例１に係る真空バルブの接点を接点側から見た図。
【図３】本発明の実施例２に係る真空バルブの接点の構成を示す断面図。
【図４】本発明の実施例３に係る真空バルブの接点の構成を示す断面図。
【符号の説明】
【００２７】
１  通電軸
２  コイル電極
２ａ  空間部
２ｂ  底面部
２ｃ  外周部
３  接点
４  補強部材
４ａ  胴体部
４ｂ  鍔部
５  磁性体
５ａ  半球部
６  スリット
【図１】
2010129337.tif 000003
【図２】
2010129337.tif 000004
【図３】
2010129337.tif 000005
【図４】
2010129337.tif 000006